(57)【特許請求の範囲】
【請求項１】
四周框組みされた框の内部に面材を備えた障子を開口枠に配置し、前記開口枠と前記框との間を固定することにより構成される建具において、
縦框の下端から下方に向けて突設し、前記開口枠に対して前記障子を配置した場合に下枠の上面に当接する係合突部材と、
前記開口枠において前記係合突部材に対応する部位に配設し、前記開口枠に対して見込み方向に沿った一方から前記障子を配置した場合に前記係合突部材に係合することにより前記開口枠の見込み方向に沿った一方への前記障子の脱落を阻止する突部受部材と
を備え、
前記係合突部材は、前記縦框の長手方向に沿った長孔を有し、前記長孔を介して前記縦框に締結部材を締結することにより、前記縦框の下端に対して移動可能に突出したものであり、
前記縦框と前記係合突部材との間には、前記縦框を構成する部材よりも融点が低い材質によって構成し、前記縦框に対する前記係合突部材の移動を阻止して前記障子の荷重を支持する規制部材を介在させたことを特徴とする建具。
【請求項２】
前記縦框は、開口枠に対向する見込み面に開口枠に向けて突出した薄板状を成すヒレ部を有したものであり、
前記係合突部材は、前記ヒレ部の下端との間に前記規制部材を介在させた状態で前記縦框の下端から下方に向けて突設したことを特徴とする請求項１に記載の建具。
【請求項３】
前記突部受部材は、前記下枠の上面に固定し、かつ切欠を有したプレート状部材であり、前記切欠の内壁面を介して前記係合突部材に係合することを特徴とする請求項１に記載の建具。
【請求項４】
前記突部受部材は、下枠の長手方向に沿って配設した柱状を成し、周面を介して前記係合突部材に係合することを特徴とする請求項１に記載の建具。
【請求項５】
前記突部受部材には、前記障子の左右方向の位置をガイドするガイド部材を設けたことを特徴とする請求項１に記載の建具。
【発明の詳細な説明】
【技術分野】
【０００１】
本発明は、左右一対の縦框を備えた障子を開口枠に配置し、開口枠と縦框との間を固定することにより構成される建具に関するものである。
【背景技術】
【０００２】
開口枠に対して障子を固定するようにした、いわゆる「嵌め殺し窓」と称される建具としては、例えば特許文献１に記載されたものが提供されている。この建具では、障子の縦框に障子側金具が設けられているとともに、開口枠の縦枠に枠側金具及びガイドネジが設けられており、開口枠に対して室外側から障子を配置することで障子側金具がガイドネジに係合し、開口枠に対して障子が仮置きされる。さらにこの仮置き状態から枠側金具に固定ネジを締結させることで障子側金具を介して障子が室内側に引き寄せられて開口枠に固定される。
【０００３】
上記のようにして構成される建具では、下枠の上面と下框の下面との間や、上枠の下面と上框の上面との間に間隙を確保した状態で障子を開口枠に固定することが可能である。従って、火災等によって建具が高温状態となった場合にも、縦框が拘束されることなく熱膨張することができるため、ガラス板等、障子の面材が熱応力によって損傷する事態を招来する恐れがない。
【先行技術文献】
【特許文献】
【０００４】
【特許文献１】特開２００７−２７８００２号公報
【発明の概要】
【発明が解決しようとする課題】
【０００５】
ところで、特許文献１の建具では、開口枠に対して障子を配置する場合、障子をほぼ水平方向に沿って移動させながら障子側金具をガイドネジに係合させなければならないため、開口枠に対して障子を配置する際の作業が煩雑となる。特に、障子の重量が重い場合には、障子を水平方向に沿って移動させること自体が困難であり、上述の問題が一層顕著となる。
【０００６】
障子を開口枠に配置する方法としては、一旦、障子の下框を開口枠の下枠に載置させ、この状態から下框の長手方向を軸心として障子を上方に回転させて上框を上枠に合致させることが考えられる。この方法によれば、障子の荷重を下枠に支持させることができるため、比較的重量が重い障子であっても開口枠に対して障子を配置する際の作業を容易化することが可能となる。
【０００７】
しかしながら、単に下框を下枠に載置させた状態で障子を上方に回転させただけでは、下枠から下框が脱落方向に向けて移動する恐れがある。しかも、下枠と下框とが当接した状態となるため、建具が高温状態となった場合には縦框の熱膨張が制限されることとなり、障子の面材であるガラス板が熱応力によって損傷する恐れがある。
【０００８】
本発明は、上記実情に鑑みて、開口枠に対して障子を配置する際の作業を容易化し、かつ高温状態となった場合にも熱応力による面材の破損を防止することのできる建具を提供することを目的とする。
【課題を解決するための手段】
【０００９】
上記目的を達成するため、本発明に係る建具は、  四周框組みされた框の内部に面材を備えた障子を開口枠に配置し、前記開口枠と前記框との間を固定することにより構成される建具において、縦框の下端から下方に向けて突設し、前記開口枠に対して前記障子を配置した場合に下枠の上面に当接する係合突部材と、前記開口枠において前記係合突部材に対応する部位に配設し、前記開口枠に対して見込み方向に沿った一方から前記障子を配置した場合に前記係合突部材に係合することにより前記開口枠の見込み方向に沿った一方への前記障子の脱落を阻止する突部受部材とを備え、前記係合突部材は、前記縦框の長手方向に沿った長孔を有し、前記長孔を介して前記縦框に締結部材を締結することにより、前記縦框の下端に対して移動可能に突出したものであり、前記縦框と前記係合突部材との間には、前記縦框を構成する部材よりも融点が低い材質によって構成し、前記縦框に対する前記係合突部材の移動を阻止して前記障子の荷重を支持する規制部材を介在させたことを特徴とする建具。
【００１０】
この発明によれば、縦框の下端から突出する係合突部材を下枠に載置させた状態で上框を上枠に合致するように障子を回転させることで障子を開口枠に配置することができる。しかも、建具が高温状態となった場合には、規制部材が先に溶融して消失するため、係合突部材が移動可能となり、縦框の熱膨張を制限しない。
【００１１】
また、本発明は、上述した建具において、前記縦框は、開口枠に対向する見込み面に開口枠に向けて突出した薄板状を成すヒレ部を有したものであり、前記係合突部材は、前記ヒレ部の下端との間に前記規制部材を介在させた状態で前記縦框の下端から下方に向けて突設したことを特徴とする。
【００１２】
この発明によれば、建具が高温状態となった場合縦框に設けたヒレ部の下端と係合突部材との間に介在させた規制部材が先に溶融して消失するため、係合突部材が退行する方向に移動可能となる。
【００１３】
また、本発明は、上述した建具において、前記突部受部材は、前記下枠の上面に固定し、かつ切欠を有したプレート状部材であり、前記切欠の内壁面を介して前記係合突部材に係合することを特徴とする。
【００１４】
この発明によれば、突部受部材の上面に係合突部材を当接させた状態で開口枠に対して障子を適宜移動させ、係合突部材を切欠に位置させれば、その後、係合突部材を係合受部材に係合させることが可能となる。
【００１５】
また、本発明は、上述した建具において、前記突部受部材は、下枠の長手方向に沿って配設した柱状を成し、周面を介して前記係合突部材に係合することを特徴とする。
【００１６】
この発明によれば、係合突部材と突部受部材とをより確実に係合させることが可能となり、外力が加えられた場合にも係合突部材の突部受部材からの脱落を防止することができる。
【００１７】
また、本発明は、上述した建具において、前記突部受部材には、前記障子の左右方向の位置をガイドするガイド部材を設けたことを特徴とする。
【００１８】
この発明によれば、ガイド部材を介して開口枠に対する障子の左右方向の位置決めが行われる。
【発明の効果】
【００１９】
本発明によれば、縦框の下端から突出する係合突部材を下枠に載置させた状態で上框を上枠に合致するように障子を回転させることで障子を開口枠に配置することができる。従って、障子の荷重を下枠に支持させることができるようになり、比較的重量が重い障子であっても開口枠に対して障子を配置する際の作業を容易化することが可能となる。しかも、建具が高温状態となった場合には、規制部材が先に溶融して消失し、係合突部材が移動可能となる。このため、縦框の熱膨張が制限されることがなく、面材に損傷を来す恐れがなくなる。
【図面の簡単な説明】
【００２０】
【図１】図１は、本発明の実施の形態である建具を示したもので、（ａ）は開口枠に対して障子を配置する途中の縦断面図、（ｂ）は開口枠に対して障子を配置した状態の縦断面図である。
【図２】図２は、図１に示した建具の横断面図である。
【図３】図３は、図１に示した建具に適用する障子の要部を示す斜視図である。
【図４】図４は、図１に示した建具に適用する開口枠の要部を示す斜視図である。
【図５】図５は、図１に示した建具の要部を示したもので、（ａ）は縦框に対して係合突部材がもっとも突出した状態の図、（ｂ）は縦框に対して係合突部材が退行移動した状態の図である。
【図６】図６は、図１に示した建具の変形例を示した要部縦断面図である。
【図７】図７は、図６に示した建具に適用する開口枠の要部を示す斜視図である。
【発明を実施するための形態】
【００２１】
以下、添付図面を参照しながら本発明に係る建具の好適な実施の形態について詳細に説明する。
【００２２】
図１及び図２は、本発明の実施の形態である建具を示したものである。ここで例示する建具は、いわゆる「嵌め殺し窓」と称されるもので、開口枠１０を備えている。開口枠１０は、上枠１１、下枠１２及び左右一対の縦枠１３を四周枠組みすることによって矩形状に構成したもので、建造物に形成した開口の内周縁に沿って取り付けてある。開口枠１０を構成する各枠１１，１２，１３は、アルミニウムやアルミニウム合金によって成形した押し出し型材であり、全長に渡ってほぼ一様な断面形状を有している。
【００２３】
この開口枠１０には、上枠１１、下枠１２及び一対の縦枠１３にそれぞれ支持部材１４が設けてある。支持部材１４は、開口枠１０を構成する各枠１１，１２，１３の内周側見込み面において室内側に位置する部位から開口枠１０の内方に向けて突出し、個々の突出端部において室外側に面する見付け面が同一の平面上に位置するように構成したもので、それぞれの突出端部に内方装着溝１４ａを有している。内方装着溝１４ａは、個々の支持部材１４において同一の平面上となる見付け面に開口した一連の溝部分である。それぞれの内方装着溝１４ａには、内方ガスケット１５が取り付けてある。
【００２４】
また、開口枠１０には、上枠１１、下枠１２及び一対の縦枠１３に外方装着溝１１ａ，１２ａ，１３ａが設けてあるとともに、一対の縦枠１３に固定ヒレ部１３ｂが設けてある。上枠１１及び下枠１２の外方装着溝１１ａ，１２ａは、室外側に向く見付け面に形成したもので、それぞれ内方装着溝１４ａよりも室外側に位置する同一の平面上において室外側に向けて開口するように設けてある。縦枠１３の外方装着溝１３ａは、縦枠１３の内周側見込み面に設けた装着ヒレ部１３ｃに形成してある。装着ヒレ部１３ｃは、縦枠１３の内周側見込み面において上枠１１の外方装着溝１１ａに対応する部位から開口枠１０の内方に向けて突出したもので、個々の突出端部に外方装着溝１３ａを有している。それぞれの外方装着溝１１ａ，１２ａ，１３ａには、外方ガスケット１６が取り付けてある。固定ヒレ部１３ｂは、縦枠１３の内周側見込み面において支持部材１４よりも室外側に位置する部分から開口枠１０の内方に向けて突出した薄板状部分であり、それぞれの縦枠１３に一体に設けてある。
【００２５】
開口枠１０の内部には、障子２０が配置してある。障子２０は、上框２１、下框２２及び左右一対の縦框２３を四周框組みすることによって構成した框と、框の内部に支持させたガラス板（面材）２４とを備えて構成したものである。この障子２０は、室外側から開口枠１０の内部に配置した場合に、障子２０の外周側見込み面と開口枠１０の内周側見込み面との間の全周にそれぞれ隙間を確保し、かつ障子２０の室内側に位置する見付け面にそれぞれ開口枠１０の内方ガスケット１５が当接できる寸法に形成してある。それぞれの框２１，２２，２３において室外側に位置する部分には、カバーヒレ部２１ａ，２２ａ，２３ａが設けてある。カバーヒレ部２１ａ，２２ａ，２３ａは、各框２１，２２，２３から外方に向けて突出した薄板状部分であり、障子２０を框の内部に配置し、かつ開口枠１０の内方ガスケット１５をそれぞれ障子２０に当接させた場合に、開口枠１０の外方ガスケット１６に当接することのできる寸法に形成してある。
【００２６】
また、障子２０の縦框２３には、支持ヒレ部（ヒレ部）２３ｂが設けてある。支持ヒレ部２３ｂは、縦框２３の外周側見込み面から外方に突出した後、室内側に向けて屈曲した薄板状部分である。この支持ヒレ部２３ｂは、縦框２３の押し出し成形時においては全長に渡って設けられたものであるが、障子２０の下端部にあっては後述する取付補助金具の取付面を確保するために切除してある。
【００２７】
一方、これら開口枠１０と障子２０との間には、固定金具３０及び取付補助金具１００が設けてある。固定金具３０は、開口枠１０とその内部に配置した障子２０との間を連結して固定するためのものである。本実施の形態では、縦框２３の外周側見込み面と縦枠１３の固定ヒレ部１３ｂとの間に渡って配置されるＬ字状を成し、縦枠１３及び縦框２３の固定ヒレ部１３ｂにそれぞれ固定ネジ３１で締結することにより開口枠１０に対して障子２０を固定するようにした固定金具３０を適用している。
【００２８】
取付補助金具１００は、室外側から開口枠１０の内部に障子２０を配置した際に障子２０の室外方向への移動を規制することで、開口枠１０に障子２０を固定する際の作業を補助するものである。本実施の形態では、上枠１１と上框２１との間に上部補助金具１１０が設けてあるとともに、下枠１２と下框２２との間に下部補助金具１２０が設けてある。
【００２９】
上部補助金具１１０は、上枠１１の内周側見込み面に板バネ部材１１１を設けるとともに、上框２１の外周側見込み面にバネ受けブラケット１１２を設けることによって構成してある。板バネ部材１１１は、上枠１１の内周側見込み面において室外側に位置する部位から下方に向けて延在した後、室内側に向けて屈曲し、先端部が漸次下方に向けて傾斜している。バネ受けブラケット１１２は、上框２１の外周側見込み面において室内側に位置する部位から上方に向けて突出したものである。
【００３０】
下部補助金具１２０は、一対の縦框２３の外周側見込み面にそれぞれ係合突部材１２１を設けるとともに、下枠１２の内周側見込み面（下枠１２の上面）において縦枠１３に近接する両側部にそれぞれ突部受部材１２２を設けることによって構成してある。
【００３１】
係合突部材１２１は、図１及び図３に示すように、略矩形板状を成す突側基部１２１ａと、突側基部１２１ａの一端部から突出した係合面１２１ｂを有する係合部１２１ｃとを有したもので、各框２１，２２，２３を構成するアルミニウムやアルミニウム合金よりも剛性の大きい金属、例えばステンレスによって一体に成形してある。この係合突部材１２１は、突側基部１２１ａに設けた長孔１２１ｄを介して取付ネジ（締結部材）１２３を縦框２３に締結することにより、係合部１２１ｃが縦框２３の下端から下方に突出し、かつ係合面１２１ｂが室外側に向いた状態で縦枠１３の下部に取り付けてある。係合突部材１２１の長孔１２１ｄは、縦框２３の長手方向に沿って形成したもので、取付ネジ１２３の締結位置を上下方向に沿って変更することが可能である。本実施の形態では、係合突部材１２１の突側基部１２１ａにおいて室内側に位置する部位に唯一長孔１２１ｄを設けるとともに、室外側に位置する部位に上下２つの長孔１２１ｄを設けるようにしている。また、係合突部材１２１の係合部１２１ｃは、室内側に位置する部位が湾曲した外形を有するように構成してある。
【００３２】
係合突部材１２１と縦框２３に設けた支持ヒレ部２３ｂの下端との間には、規制部材１２４が介在させてある。規制部材１２４は、各框２１，２２，２３を構成するアルミニウムやアルミニウム合金よりも融点が低く、比較的剛性の大きな材質、例えば硬質の合成樹脂材によって成形したものである。この規制部材１２４は、縦框２３に対して係合突部材１２１の下方への突出量が最大となった状態で支持ヒレ部２３ｂ及び係合突部材１２１の間に介在することにより、縦框２３に対する係合突部材１２１の上方への移動、つまり縦框２３の下端に対する係合突部材１２１の退行移動を阻止するように設けてある。
【００３３】
突部受部材１２２は、図１及び図４に示すように、矩形の板状を成す受側基部１２２ａと、受側基部１２２ａにおいて縦枠１３に近接する縁部から上方に向けて突出したガイド当接部１２２ｂと、ガイド当接部（ガイド部材）１２２ｂの上端部から上方に向けて漸次縦枠１３に近接する方向に傾斜した傾斜ガイド部（ガイド部材）１２２ｃとを有したもので、受側基部１２２ａを介して下枠１２の内周側見込み面に固定してある。受側基部１２２ａには、係合受面（内壁面）１２２ｄが設けてある。係合受面１２２ｄは、室内側から受側基部１２２ａに切欠１２２ｅを設けることにより室内側に面するように構成したもので、ガイド当接部１２２ｂに近接した位置に設けてある。突部受部材１２２を取り付ける位置は、開口枠１０の内部に対して障子２０を正規の位置に配置した場合に、突部受部材１２２のガイド当接部１２２ｂがそれぞれ係合突部材１２１の係合部１２１ｃに近接して対向配置され、かつ係合突部材１２１の係合部１２１ｃが受側基部１２２ａの切欠１２２ｅに位置することにより、係合面１２１ｂと係合受面１２２ｄとが互いに対向する部位である。尚、この突部受部材１２２も係合突部材１２１と同様、各框２１，２２，２３を構成するアルミニウムやアルミニウム合金よりも剛性の大きい金属、例えばステンレスによって成形してある。
【００３４】
上記のように構成した建具では、例えば以下に記載する手順で開口枠１０に障子２０を配置することが可能である。尚、この例では、図１の（ａ）に示すように、予め一対の縦枠１３の外周側見込み面にそれぞれ固定金具３０が取り付けてあるものとする。
【００３５】
まず、障子２０の上框２１を室外側に傾けた状態で障子２０の下端部を開口枠１０に挿入し、縦框２３に取り付けた係合突部材１２１の係合部１２１ｃを突部受部材１２２の受側基部１２２ａに当接させる。このとき、開口枠１０に対して障子２０の左右方向の位置が多少ずれていたとしても、係合突部材１２１の係合部１２１ｃが突部受部材１２２の傾斜ガイド部１２２ｃに当接すれば、傾斜ガイド部１２２ｃの傾斜作用によって開口枠１０に対する障子２０の相対位置が修正されることになる。
【００３６】
係合突部材１２１の係合部１２１ｃが受側基部１２２ａの上面に当接した状態でさらに障子２０を室内側に移動させると、係合部１２１ｃが受側基部１２２ａの切欠１２２ｅに到達した時点でその内部に落ち込み、係合部１２１ｃの係合面１２１ｂと受側基部１２２ａの係合受面１２２ｄとが互いに対向した状態に配置される。この状態においては、開口枠１０に対して障子２０が室外方向へ移動すると、係合部１２１ｃの係合面１２１ｂと受側基部１２２ａの係合受面１２２ｄとが当接し、開口枠１０からの障子２０の室外側への脱落が阻止される。従って、障子２０の上框２１を開口枠１０の上枠１１に合致させるように障子２０を起立姿勢まで回転させれば、図１の（ｂ）に示すように、開口枠１０の内部に障子２０を配置することができるようになる。その後、固定金具３０と縦枠１３の固定ヒレ部１３ｂとの間を固定ネジ３１で締結すれば、開口枠１０に対して障子２０が固定された「嵌め殺し窓」を構成することができる。
【００３７】
障子２０の係合突部材１２１を下枠１２に当接させた状態で障子２０を回転させる場合には、障子２０の荷重が開口枠１０の下枠１２に支持されることになり、比較的重量が重い障子２０であっても開口枠１０に対して障子２０を配置する際の作業を容易化することが可能となる。また、係合突部材１２１は、縦框２３に対して退行移動可能であるものの、図５の（ａ）に示すように、縦框２３に設けた支持ヒレ部２３ｂとの間に規制部材１２４を介在させて縦框２３に対する退行移動を阻止するようにしている。従って、係合突部材１２１を介して障子２０を下枠１２の内周側見込み面に比較的勢い良く載置させた場合であっても、不用意に係合突部材１２１が縦框２３に対して退行移動することはなく、下枠１２と下框２２との間に所望の間隙が確保された状態に維持される。
【００３８】
さらに、上記のように構成された建具では、例えば火災等によって高温状態となると、アルミニウムやアルミニウム合金によって成形した框２１，２２，２３が熱膨張する以前に、縦框２３の支持ヒレ部２３ｂと係合突部材１２１との間に介在させた規制部材１２４が溶融する。従って、図５の（ｂ）に示すように、框２１，２２，２３が熱膨張する際には、縦框２３に対して係合突部材１２１が退行移動し、つまり下枠１２の内周側見込み面に当接した係合突部材１２１に対して縦框２３が下方に移動することになり、障子２０のガラス板２４が熱応力によって損傷する事態を防止することができるようになる。
【００３９】
尚、上述した実施の形態では、開口枠１０と障子２０との間に内方ガスケット１５及び外方ガスケット１６を設けたもの例示しているが、必ずしもこれに限定されない。また、縦框２３と縦枠１３との間に固定金具３０を設けて開口枠１０と障子２０との間を固定するようにしているが、固定する部位はこれらの間に限定されない。
【００４０】
さらに、上述した実施の形態では、縦枠１３に設けた支持ヒレ部２３ｂの下端と係合突部材１２１との間に規制部材１２４を設けるようにしているが、規制部材１２４を設ける部位はこれに限定されない。例えば、縦框２３にネジ止めした規制部材１２４を係合突部材１２１に当接させて縦框２３に対する係合突部材１２１の退行移動を規制するようにしても良い。また、長孔１２１ｄの内部に規制部材１２４を配設して縦框２３に対する係合突部材１２１の退行移動を規制することも可能である。
【００４１】
またさらに、上述した実施の形態では、突部受部材１２２に形成した切欠１２２ｅの内壁面１２２ｄを介して係合突部材１２１を係合させるようにしているが、本発明はこれに限定されない。例えば、図６及び図７に示す変形例では、突部受部材１２２のガイド当接部１２２ｂにおいて受側基部１２２ａから離隔した部位にほぼ水平方向に沿って柱状部材（突部受部材）２２２を配設している。この変形例によれば、柱状部材２２２の周面を介して障子２０の係合突部材１２１に係合することになり、係合突部材１２１と突部受部材１２２との係合深さを大きく確保することができるようになる。従って、開口枠１０に対して障子２０を配置する際に、仮に障子２０に衝撃等の外力が加えられた場合にも、係合突部材１２１と突部受部材１２２との係合状態が解除される恐れがなくなり、その作業をより容易に行うことが可能となる。尚、図６及び図７の変形例において実施の形態と同様の構成に関しては、同一の符号が付してある。また、柱状部材２２２は、下枠１２の長手方向に沿って配設してあれば良く、必ずしも突部受部材１２２に設ける必要はない。
【符号の説明】
【００４２】
１０      開口枠
１２      下枠
１３      縦枠
２０      障子
２３      縦框
２４      ガラス板
１２１      係合突部材
１２１ｄ      長孔
１２２      突部受部材
１２２ｂ      ガイド当接部
１２２ｃ      傾斜ガイド部
１２２ｄ      係合受面
１２２ｅ      切欠
１２３      取付ネジ
１２４      規制部材
２２２      柱状部材
【図１】
0005814180.tif 000002
【図２】
0005814180.tif 000003
【図３】
0005814180.tif 000004
【図４】
0005814180.tif 000005
【図５】
0005814180.tif 000006
【図６】
0005814180.tif 000007
【図７】
0005814180.tif 000008